(57)【特許請求の範囲】
【請求項１】
前倒可能なシートバックの上端部にヘッドレストを備えた車両用シートのヘッドレスト取付構造であって、
前記ヘッドレストの骨格を構成するヘッドレストステーと、
前記ヘッドレストステーの側部に形成されて前記ヘッドレストの高さ調整方向に延在するスライド凹部と、
前記シートバックの骨格部材に固定されて前記ヘッドレストステーを支持するサポートブラケットと、
前記サポートブラケットに設けられて前記スライド凹部に係脱自在且つ摺動自在に挿入される係脱ピンと、
前記ヘッドレストステーを覆うヘッドレストクッションの前面に形成されて前記ヘッドレストを前方に倒して移動させる際に前記サポートブラケットを通過させるスリットと、を有することを特徴とする車両用シートのヘッドレスト取付構造。
【請求項２】
前記係脱ピンを支点として前記ヘッドレストステーを回動させて前記ヘッドレストを前倒した後、前記係脱ピンをガイドとして前記ヘッドレストステーを前記シートバックの背面方向に移動させた状態において、前記ヘッドレストステーは、前記シートバックの背面側に突出して積荷ガード部を形成することを特徴とする請求項１に記載の車両用シートのヘッドレスト取付構造。
【請求項３】
前記サポートブラケットの前記係脱ピンの近傍には、前記積荷ガード部の形成時に前記スライド凹部に摺動自在に挿入されるガイドピンが設けられることを特徴とする請求項２に記載の車両用シートのヘッドレスト取付構造。
【請求項４】
前記ヘッドレストステーには、積荷を固縛するための係止部が形成されることを特徴とする請求項１ないし請求項３の何れか１項に記載の車両用シートのヘッドレスト取付構造。
【請求項５】
前記ヘッドレストステーは、板状体から構成され、前記板状体は、その一主面が前記ヘッドレストの前方を向くよう配設されて左右の側面に前記スライド凹部が形成されることを特徴とする請求項１ないし請求項４の何れか１項に記載の車両用シートのヘッドレスト取付構造。
【請求項６】
前記ヘッドレストステーは、前記スライド凹部が形成される左右一対の棒状部と、前記サポートブラケットに挿入される側の前記棒状部の端部から連続して形成されて前記棒状部を互いに連結する連結部と、を有することを特徴とする請求項１ないし請求項４の何れか１項に記載の車両用シートのヘッドレスト取付構造。
【発明の詳細な説明】
【技術分野】
【０００１】
本発明は、車両用シートのヘッドレスト取付構造に関し、特に、シートバックを前方に倒して折り畳む形式の車両用シートにおけるヘッドレスト取付構造に関する。
【背景技術】
【０００２】
シートバックを前方に倒して折り畳み、その前倒されたシートバックの背面に荷物を積載可能な車両用シートにおいて、シートバックの上端部にヘッドレストを備えたものがある。
【０００３】
この種の車両用シートにおけるヘッドレスト取付構造として、ヘッドレストを回動自在に支持し、シートバックを折り畳む際に、ヘッドレストを前倒して格納するものが知られている。例えば、特許文献１には、シートバックに昇降自在に支持されるポールに、回動機構によって上端部が前方へ回動するようにヘッドレストを取り付けた車両用シートが記載されている。シートバック前倒時には、ヘッドレストを回動させてシートバックの前方に倒してシートクッションの前側に格納している。
【０００４】
また、例えば、特許文献２に開示されたシートのように、ヘッドレストをシートバックに対して昇降自在に支持し、シートバックを折り畳む際には、ヘッドレストを最下位まで下げて格納状態とするものがある。このような形式の車両用シートでは、シートバック前倒時に、ヘッドレストの一部分が折り畳まれたシートバックとシートクッションとの間に挟み込まれる。
【０００５】
また、他の従来技術の例として、例えば、特許文献３に開示されたシートように、ヘッドレストをシートバックから取り外し自在に設け、シートバックを前倒する際には、ヘッドレストを取り外して格納する形式の車両用シートが知られている。
【先行技術文献】
【特許文献】
【０００６】
【特許文献１】特開２０１０−１５５５５８号公報（第６頁、第１図）
【特許文献２】特開２００４−１５５２６９号公報（第４−５頁、第２図）
【特許文献３】特開２０１３−１１２０１０号公報（第４−５頁、第２図）
【発明の概要】
【発明が解決しようとする課題】
【０００７】
しかしながら、上記した従来技術では、車両用シートの快適性及び意匠性を確保しつつシートバック前倒時の荷室の積載性能を向上させる観点から改善の余地があった。
【０００８】
具体的には、特許文献１に開示されたようにヘッドレストを前方に回動させてシートバックを前倒する形式では、ヘッドレストとシートクッションとの干渉を避けるためにヘッドレスト及びシートクッションの意匠形状が制約されるという問題点があった。
【０００９】
つまり、ヘッドレストを倒すとヘッドレストの上部がシートバックの前方に突出するので、シートバックを前倒する際、ヘッドレストの上部とシートクッションの前上部とが干渉し易い。ヘッドレストとシートクッションとが干渉すると、シートバックの背面を水平に近づけることが難しく、荷物を載置する床面が傾くことになり、荷物の積載性が悪くなる。
【００１０】
ヘッドレストとシートクッションとの干渉を避けるためには、シートバック前倒時にヘッドレストがシートクッションの前方に格納されるように設計する必要があり、シートクッションの長さやヘッドレストの厚み等が制約される。
【００１１】
また、特許文献２に開示された従来技術のようにヘッドレストの高さを最下位にしてヘッドレストの一部分をシートバックとシートクッションとの間に収める形式では、シートバックの背面が傾き易く、荷室床面をフラットにすることが難しかった。前倒時のシートバック背面を水平にするために、ヘッドレストやその収納部近傍のシートバック若しくはシートクッションを薄くすると、着座時の快適性や意匠性を損ねることになる。
【００１２】
また、特許文献３に開示された従来技術のようにヘッドレストを取り外してからシートバックを前倒する形式では、ヘッドレストを取り外す作業、及びシートバックを着座位置に戻した際にヘッドレストを取り付ける作業が必要であるという問題点がある。また、取り外したヘッドレストを格納する空間や保持するための構造が必要であった。
【００１３】
また更に、特許文献１ないし特許文献３に開示されたヘッドレスト取付構造では、積載した荷物を安全に保持する構造について考慮されておらず、積荷の移動を抑えるためには、積荷を固定するためのガードや固定具を別途用意する必要があった。
【００１４】
本発明は、上記の事情に鑑みてなされたものであり、その目的とするところは、車両用シートの快適性及び意匠性を確保しつつ、シートバック前倒時には、積荷の積載性能に優れ、且つ積荷の移動を安全に抑えることができるヘッドレスト取付構造を提供することにある。
【課題を解決するための手段】
【００１５】
本発明の車両用シートのヘッドレスト取付構造は、前倒可能なシートバックの上端部にヘッドレストを備えた車両用シートのヘッドレスト取付構造であって、前記ヘッドレストの骨格を構成するヘッドレストステーと、前記ヘッドレストステーの側部に形成されて前記ヘッドレストの高さ調整方向に延在するスライド凹部と、前記シートバックの骨格部材に固定されて前記ヘッドレストステーを支持するサポートブラケットと、前記サポートブラケットに設けられて前記スライド凹部に係脱自在且つ摺動自在に挿入される係脱ピンと、前記ヘッドレストステーを覆うヘッドレストクッションの前面に形成されて前記ヘッドレストを前方に倒して移動させる際に前記サポートブラケットを通過させるスリットと、を有することを特徴とする。
【発明の効果】
【００１６】
本発明の車両用シートのヘッドレスト取付構造によれば、ヘッドレストステーの側部に形成されるスライド凹部と、サポートブラケットの上部に設けられる係脱ピンと、を有し、前記係脱ピンは、前記スライド凹部に係脱自在且つ摺動自在に挿入される。即ち、係脱ピンは、スライド凹部に沿ってその延在方向に相対的に移動可能であり、且つ、スライド凹部の内部で相対的に回動が可能である。
【００１７】
これにより、ヘッドレストは、スライド凹部と係脱ピンとにガイドされて、高さ調整方向への移動が可能となる。また、ヘッドレストを上方に引き上げた後、係脱ピンを支点として回動させることにより、ヘッドレストを前方に倒すことが可能となる。そして、ヘッドレストを前方に倒した状態で、スライド凹部及び係脱ピンをガイドとして、ヘッドレストをシートバックの背面方向に移動させることができる。
【００１８】
このようにヘッドレストを回動させて前方に倒し、シートバックの背面方向に移動させることにより、シートバックを前倒しにしてシートを折り畳む際に、ヘッドレストとシートクッションとの干渉を減らすことができる。その結果、荷物を積載する荷室の床面を略水平にすることができ、荷物の積載性能を向上させることができる。また、シートクッション形状の設計自由度が高くなり、意匠性の向上や、座り心地等の快適性の向上も期待できる。
【００１９】
また、本発明の車両用シートのヘッドレスト取付構造によれば、ヘッドレストステーを覆うヘッドレストクッションには、サポートブラケットの上部を通過させるスリットが形成されている。これにより、ヘッドレストをシートバックの背面側に向かって移動させる際に、その移動量を大きく確保することができ、シートを折り畳む際のヘッドレストとシートクッションとの干渉を更に小さくすることができる。
【００２０】
また、ヘッドレストを前倒した後、シートバックの背面方向に移動させた状態において、ヘッドレストステーの一部をシートバックの背面側に突出させて積荷ガード部を形成しても良い。これにより、積荷の移動を抑えて荷物積載時の安全性を高めることができる。
【００２１】
また、ヘッドレストステーに、積荷を固縛するための係止部を形成しても良い。これにより、積荷の固定が容易になり、荷物積載時の安全性を更に高めることができる。
【図面の簡単な説明】
【００２２】
【図１】本発明の実施形態に係る車両用シートの概略構造を示す側面図である。
【図２】同上、ヘッドレストを取り外した状態を示す分解斜視図である。
【図３】同上、サポートブラケットを示す斜視図である。
【図４】同上、ヘッドレストを取り付けた状態を示す斜視図である。
【図５】同上、ヘッドレストを最上位に持ち上げる動作を示す（Ａ）斜視図、（Ｂ）側面図である。
【図６】同上、ヘッドレストを前方に倒す動作を示す（Ａ）斜視図、（Ｂ）側面図である。
【図７】同上、ヘッドレストを背面側に移動する動作を示す（Ａ）斜視図、（Ｂ）側面図である。
【図８】同上、シートバックを前倒してその背面に積荷を搭載した状態を示す斜視図である。
【図９】本発明の他の実施形態に係るヘッドレストを示す斜視図である。
【図１０】同上、シートバックを前倒してその背面に積荷を搭載した状態を示す斜視図である。
【発明を実施するための形態】
【００２３】
以下、本発明の実施形態に係る車両用シートのヘッドレスト取付構造を図面に基づき詳細に説明する。
【００２４】
図１は、本発明の実施形態に係るヘッドレスト取付構造を備えた車両用シート１の概略構造を示す側面図である。車両用シート１は、自動車の後部座席であり、乗員が着座するシートクッション３０と、前倒自在なシートバック２０と、シートバック２０の上端部に設けられるヘッドレスト１０と、を有する。
【００２５】
シートバック２０は、その下部が車体のフロアパネル等に固定されるヒンジ機構３５によって回動自在に支持されている。シートバック２０は、起立した状態においては、その前面２０ａが乗員の体を支える背もたれとして機能し、図１に鎖線で示すように前方に倒した状態においては、その背面２０ｂが荷室５の床面として機能する。
【００２６】
図２は、車両用シート１のヘッドレスト取付構造を車両の前方側の左斜め上から見た分解斜視図であり、ヘッドレスト１０をシートバック２０から取り外した状態を表わしている。図２に示すように、ヘッドレスト１０は、その骨格を構成するヘッドレストステー１３と、ヘッドレストステー１３の上部に固定されるヘッドレストクッション１１と、を有する。
【００２７】
ヘッドレストクッション１１は、例えば、発泡ウレタン等の合成樹脂材料から成る緩衝部材であり、シートバック２０を起立した着座状態において、乗員の頭部を後方から支える部分である。ヘッドレストクッション１１の表面は、合成樹脂や皮等から成形される表皮部材で覆われている。
【００２８】
ヘッドレストステー１３は、ヘッドレスト１０の骨格となりヘッドレストクッション１１を支える強度部材である。ヘッドレストステー１３の上部には、ヘッドレストクッション１１が取り付けられ、ヘッドレストステー１３の下部は、ヘッドレストクッション１１の下部から突出している。
【００２９】
ヘッドレストステー１３は、少なくともヘッドレストクッション１１の下部から突出する部分が略矩形の板状に形成されている。そして、略矩形板状のヘッドレストステー１３は、その主面１３ａが車両の前方を向き、矩形状体の対辺を構成する２つの側面が略鉛直に車両の左右方向を向くように、ヘッドレスト１０に取り付けられる。
【００３０】
ヘッドレストステー１３の左右両側の側面には、各側面から内側に向かって凹み、矩形状体の左右の対辺に沿って延びるスライド凹部１４が形成されている。換言すれば、スライド凹部１４は、シートバック２０を起立した状態において略上下方向、即ち、ヘッドレスト１０の高さ調整方向に延在する。尚、スライド凹部１４の横断面形状は、例えば、略コ字状若しくは略Ｕ字状等である。
【００３１】
ヘッドレストステー１３のスライド凹部１４は、ヘッドレストクッション１１の内部まで連続して延在するよう形成されている（図１参照）。そして、ヘッドレストクッション１１の中まで延びるスライド凹部１４に対応して、ヘッドレストクッション１１の前面には、スリット１２が形成されている。
【００３２】
スリット１２は、ヘッドレストクッション１１の表面からヘッドレストステー１３のスライド凹部１４まで達するよう形成された切り込みである。スリット１２は、ヘッドレスト１０を前方に倒してシートバック２０の背面方向に移動させる際に、後述するサポートブラケット２２の上部のピン設置部２３を通過させるためのものである。
【００３３】
ヘッドレストステー１３の下部には、シートバック２０を前倒してその背面２０ｂに積荷を載せた状態において、その積荷を固縛するロープ等を固定するための係止部１５が形成されている。係止部１５の形状としては、種々の形状を採用することができる。例えば、係止部１５として、ヘッドレストステー１３の主面１３ａから反対側の主面まで貫通する孔を形成しても良い。また、係止部１５を、貫通孔の一部分が下方に開口する略鉤状に形成しても良い。
【００３４】
尚、上述したヘッドレストステー１３の材質としては、各種合成樹脂材料や金属材料等を用いることができる。また、ヘッドレストステー１３を中空構造にしても良い。例えば、板金プレス成形等によって鋼板製の中空構造体を成形することにより、軽量且つ高強度なヘッドレストステー１３とすることができる。
【００３５】
シートバック２０は、その内部に、例えば、鋼製パイプ材等から成る骨格部材としてのシートフレーム２１と、シートフレーム２１に固定されてヘッドレストステー１３を支持するサポートブラケット２２と、を有する。
【００３６】
シートフレーム２１には、例えば、発泡ウレタン等の樹脂材料から成る緩衝部材が取り付けられ、その緩衝部材の表面は、例えば、合成樹脂材料や皮等から成る表皮部材で覆われている。
【００３７】
サポートブラケット２２は、シートバック２０の上部に設けられ、シートバック２０の骨格を構成する強度部材であるシートフレーム２１に溶接等によって固定される。サポートブラケット２２の上部に形成されるピン設置部２３は、シートバック２０の上端から上方に突出するよう配置される。
【００３８】
ピン設置部２３には、ヘッドレストステー１３のスライド凹部１４に係脱自在且つ摺動自在に挿入される係脱ピン２４が設けられる。即ち、ヘッドレスト１０をシートバック２０に取り付けた状態において、係脱ピン２４は、スライド凹部１４に沿ってその延在方向に相対的に移動可能であり、且つ、スライド凹部１４の内部で相対的に回動可能である。
【００３９】
また、ピン設置部２３には、スライド凹部１４に摺動自在に挿入されるガイドピン２５が設けられる。ガイドピン２５をスライド凹部１４に挿入した状態において、ガイドピン２５は、スライド凹部１４に沿ってその延在方向に相対的に移動可能である。
【００４０】
図３は、サポートブラケット２２を拡大して示す斜視図である。図３に示すように、係脱ピン２４及びガイドピン２５は、各々左右一対、対向して設けられ、サポートブラケット２２の左右両側のピン設置部２３から内側に向かって突設される。
【００４１】
これにより、係脱ピン２４及びガイドピン２５は、ヘッドレストステー１３（図２参照）の左右両側面に形成されたスライド凹部１４（図２参照）に夫々挿入され、ヘッドレストステー１３の動きを左右両側からガイドする。
【００４２】
係脱ピン２４の先端は、ヘッドレスト１０（図２参照）をシートバック２０（図２参照）に取り付けた状態において、常にスライド凹部１４に挿入されている。他方、ガイドピン２５の先端は、ヘッドレスト１０を前方に倒してシートバック２０の背面方向に移動させる際にのみ、スライド凹部１４に挿入される。
【００４３】
また、係脱ピン２４には、係脱ピン２４を軸方向に移動させる操作ノブ２８を備えている。操作ノブ２８を操作することにより、係脱ピン２４とスライド凹部１４との係合及びその解除を行うことができる。これにより、ヘッドレスト１０の取り外しや高さ調整等を容易に行うことができる。
【００４４】
尚、所定の高さでヘッドレスト１０を固定するために、スライド凹部１４の内部に、延在方向に所定の間隔で、係脱ピン２４と係脱自在な複数の凹凸形状を形成しても良い。これにより、高さ調整時の操作性と固定時の安定した支持性能とを両立することができる。
【００４５】
また、サポートブラケット２２には、ヘッドレストステー１３が挿入される挿通部２６及び挿通部２７が形成されている。
【００４６】
挿通部２６は、シートバック２０を起立した着座状態において、ヘッドレスト１０を摺動自在に支持するものである。具体的には、挿通部２６は、少なくとも上方に開口する略四角筒状の形態を成し、この挿通部２６に略板状のヘッドレストステー１３が挿通される（図４参照）。
【００４７】
挿通部２７は、ヘッドレスト１０を前方に倒してシートバック２０の背面方向に移動させる際に、ヘッドレストステー１３を挿通させて、ヘッドレスト１０を摺動自在に支持するものである。
【００４８】
図４は、シートバック２０にヘッドレスト１０を取り付けた状態を示す斜視図である。図４に示すように、ヘッドレスト１０は、ヘッドレストステー１３がサポートブラケット２２の前述した挿通部２６（図３参照）に挿入され、高さ方向に摺動自在に支持される。
【００４９】
ここで、前述の通り、スライド凹部１４には、係脱ピン２４の先端が挿入される。即ち、ヘッドレスト１０は、ヘッドレストステー１３の外周面がサポートブラケット２２の挿通部２６の内面によって支持されると共に、スライド凹部１４が係脱ピン２４によって支持される。これにより、十分な支持強度を発揮し、ヘッドレスト１０を安定して支持することができ、且つその高さを容易に調整することができる。
【００５０】
次に、図５ないし図８を参照して、ヘッドレスト１０を格納状態にする動作について詳細に説明する。
【００５１】
図５（Ａ）は、ヘッドレスト１０を最上位に持ち上げる動作を示す斜視図であり、図５（Ｂ）は、同動作を示す側面図である。シートバック２０を前倒しする前には、先ず、図５（Ａ）及び（Ｂ）に示すように、ヘッドレスト１０を最上位に持ち上げる。
【００５２】
具体的には、操作ノブ２８を操作することによって係脱ピン２４による固定を解除し、ヘッドレスト１０を上方へと持ち上げる。ヘッドレスト１０は、ヘッドレストステー１３のスライド凹部１４に挿入されている係脱ピン２４によってその動きがガイドされ、高さ調節方向の最上位へとスライド移動される。
【００５３】
ここで、ヘッドレストステー１３の下端部は、サポートブラケット２２の挿通部２６の上端部よりも上方へと移動する。即ち、ヘッドレストステー１３は、挿通部２６から外れ、ヘッドレストステー１３の外周面と挿通部２６の内面との支持関係が解除される。つまり、ヘッドレストステー１３は、左右のスライド凹部１４に挿入されている係脱ピン２４による支持のみとなる。
【００５４】
次に、ヘッドレスト１０を前方へと倒す。図６（Ａ）は、ヘッドレスト１０を前方に倒す動作を示す斜視図であり、図６（Ｂ）は、同動作を示す側面図である。ヘッドレスト１０を最上位に移動した後、図６（Ａ）及び（Ｂ）に示すように、係脱ピン２４を支点としてヘッドレストステー１３を回動させてヘッドレスト１０を前方へと倒す。
【００５５】
即ち、前述の通り、ヘッドレスト１０を最上位にスライドさせると、ヘッドレスト１０は、左右の係脱ピン２４による支持のみとなるので、ヘッドレストステー１３は、係脱ピン２４を支点として回動自在となり、ヘッドレスト１０を前方へと倒すことができる。
【００５６】
次に、前方に倒したヘッドレスト１０を後方に移動させて格納状態にする。図７（Ａ）は、ヘッドレスト１０を背面２０ｂ側に移動する動作を示す斜視図であり、図７（Ｂ）は、同動作を示す側面図である。ヘッドレスト１０を前方に倒したら、図７（Ａ）及び（Ｂ）に示すように、ヘッドレスト１０をシートバック２０の背面２０ｂ側へとスライドさせる。これにより、ヘッドレスト１０は、格納状態となる。
【００５７】
具体的には、図７（Ｂ）に示すように、ヘッドレスト１０を前倒した状態で背面２０ｂ側に押すことにより、ヘッドレスト１０は、スライド凹部１４に挿入されている係脱ピン２４にガイドされて、背面２０ｂ側へとスライド移動する。
【００５８】
そして、ガイドピン２５がスライド凹部１４に入り込み、そのガイドピン２５によってもヘッドレストステー１３の動きがガイドされる。つまり、ヘッドレスト１０は、スライド凹部１４に挿入される係脱ピン２４とガイドピン２５とによって支持されるので、回動が規制され、スライド凹部１４の延在方向に沿ってスライド移動する。
【００５９】
また更に、ヘッドレストステー１３は、サポートブラケット２２の挿通部２７（図３参照）に挿入される。これにより、ヘッドレストステー１３の外周面と挿通部２７の内面とが摺動可能に当接し、ヘッドレスト１０は、挿通部２７によって摺動自在に支持される。これにより、ヘッドレスト１０の回動をより確実に抑えることができる。
【００６０】
ここで、前述の通り、スライド凹部１４は、ヘッドレストクッション１１の内部まで連続して延在するよう形成されている。そして、そのスライド凹部１４に対応して、ヘッドレストクッション１１の前面には、サポートブラケット２２のピン設置部２３を通過させるスリット１２が形成されている。
【００６１】
これにより、ヘッドレスト１０をシートバック２０の背面２０ｂ側に向かって移動させる際に、ヘッドレストクッション１１とサポートブラケット２２との干渉を減らし、ヘッドレスト１０の移動量を大きく確保することができる。具体的には、ヘッドレストクッション１１の下部がシートバック２０の背面２０ｂと略同一面となる位置まで、ヘッドレスト１０を移動させることができる。これにより、車両用シート１を折り畳む際に、ヘッドレスト１０とシートクッション３０との干渉を小さくすることができる。
【００６２】
また、ヘッドレスト１０の移動量を大きく確保することができるので、ヘッドレスト１０をシートバック２０の背面２０ｂ側にスライドさせた状態で、ヘッドレストステー１３を背面２０ｂよりも突出させることができる。ヘッドレストステー１３の背面２０ｂよりも突出した部分は、後述する積荷ガード部を構成する。
【００６３】
図８は、シートバック２０を前倒してその背面２０ｂに積荷５０を搭載した状態を示す斜視図である。図８に示すように、ヘッドレスト１０を格納した状態でシートバック２０を前方に倒すことにより、シートバック２０の背面２０ｂを、積荷５０を載置する床面として使用することができる。
【００６４】
本実施形態では、ヘッドレスト１０を回動させて前方に倒し、シートバック２０の背面２０ｂ方向に移動させて格納状態しているので、シートバック２０を前倒しにして折り畳む際に、ヘッドレスト１０とシートクッション３０との干渉を減らすことができる。
【００６５】
その結果、積荷５０を積載する荷室５の床面を略水平にすることができ、積載性能を向上させることができる。また、シートクッション３０の形状設計自由度が高くなり、意匠性の向上や、座り心地等の快適性の向上も期待できる。
【００６６】
また、ヘッドレスト１０を格納して状態において、前述の通り、ヘッドレストステー１３の一部は、シートバック２０の背面２０ｂ側に突出しているので、その突出した部分を積荷５０の移動を抑える積荷ガード部として利用することがきる。これにより、例えば、減速時等において、積荷５０が前方に移動して前方座席を押圧することを抑えることができ、荷物積載時の安全性を高めることができる。
【００６７】
また、ヘッドレストステー１３に、形成された係止部１５を利用して、積荷を安全に固定することができる。即ち、係止部１５に、ロープやベルト等（５１）を直接通したり、フック等の係止具を引っ掛けたりして、積荷５０を容易且つ安全に固縛することができる。これにより、荷物積載時の安全性を更に高めることができる。
【００６８】
尚、図３及び図７を参照して既に説明したように、ヘッドレスト１０は、格納状態において、スライド凹部１４に挿入される係脱ピン２４とガイドピン２５とによって支持されて回動が規制されている。また更に、ヘッドレストステー１３は、格納状態において、挿通部２７に挿入されて支持される。これにより、積荷ガードとして機能するヘッドレストステー１３は、積荷５０の衝突荷重に耐え、且つ積荷５０を強固に固縛するための十分な強度を発揮することができる。
【００６９】
次に、図９及び図１０を参照して、実施形態を変形した例として、車両用シート１０１のヘッドレスト１１０について詳細に説明する。図９は、ヘッドレスト１１０を示す斜視図である。図１０は、車両用シート１０１のシートバック２０を前倒してその背面２０ｂに積荷５０を搭載した状態を示す斜視図である。尚、既に説明した実施形態と同一若しくは同様の作用、効果を奏する構成要素については、同一の符号を付し、その説明を省略する。
【００７０】
図９に示すように、ヘッドレスト１１０は、ヘッドレストステー１１３の形態を変更している。即ち、ヘッドレスト１１０のヘッドレストステー１１３は、左右一対の棒状部１１６と、棒状部１１６の下端部から連続して形成されて左右の棒状部１１６を互いに連結する連結部１１７と、を有する。
【００７１】
ヘッドレストステー１１３は、ヘッドレスト１１０の骨格を形成する強度部材であり、棒状部１１６は、ヘッドレストクッション１１の下部から下方に向かって延び、左右一対設けられる。また、棒状部１１６は、ヘッドレストクッション１１の内部まで連続して延びている。
【００７２】
連結部１１７は、棒状部１１６の下端部、即ち、サポートブラケット２２に挿入される側の端部から連続して形成される。連結部１１７によって左右の棒状部１１６が連結されるので、ヘッドレストクッション１１から下方に突出するヘッドレストステー１１３は、略Ｕ字状若しくは略コ字状となる。
【００７３】
ヘッドレストステー１１３の側部、詳しくは、左右一対の棒状部１１６の車幅方向の外側となる側部には、棒状部１１６の延在方向にそってスライド凹部１４が形成されている。これにより、既に説明した実施形態と同様に、ヘッドレスト１１０を前方に倒して後方に移動し、図１０に示すように、格納状態にすることができる。
【００７４】
尚、ヘッドレストステー１１３としては、例えば、合成樹脂材料や、金属製の中空パイプ材等を用いることもできる。例えば、金属製の中空パイプ材を略Ｕ字状に曲げ加工することによりにヘッドレストステー１１３を成形し、その側部にスライド凹部１４をプレス加工等によって形成することができる。また、スライド凹部１４を構成する別の部品を準備し、ヘッドレストステー１１３の側部に溶接やボルト締結等によって固定しても良い。
【００７５】
図１０に示すように、車両用シート１０１のシートバック２０を前倒してその背面２０ｂに積荷５０を搭載する際には、背面２０ｂから突出したヘッドレストステー１１３は、積荷５０の移動を抑えてる積荷ガード部として機能する。
【００７６】
ここで、連結部１１７で一対の棒状部１１６の端部を連結しているので、棒状部１１６の端部は、棒形状の尖端がそのまま露出して荷室５に突出することがない。これにより、棒状部１１６の尖端が積荷５０や身体等に突き刺さるという問題を回避できる。
【００７７】
また、左右の棒状部１１６を連結する連結部１１７を、積荷５０を固縛する際の係止部１１５として利用することができる。即ち、連結部１１７にロープ５１やフック等を掛けて積荷５０を容易且つ安全に固定することができる。
【００７８】
尚、本発明は、上記実施形態に限定されるものではなく、その他、本発明の要旨を逸脱しない範囲で、種々の変更実施が可能である。
【符号の説明】
【００７９】
１        車両用シート
１０      ヘッドレスト
１１      ヘッドレストクッション
１２      スリット
１３      ヘッドレストステー
１４      スライド凹部
１５      係止部
２０      シートバック
２０ｂ    背面
２１      シートフレーム
２２      サポートブラケット
２３      ピン設置部
２４      係脱ピン
２５      ガイドピン
３０      シートクッション
１１３    ヘッドレストステー
１１５    係止部
１１６    棒状部
１１７    連結部
【図１】
0006377986.tif 000002
【図２】
0006377986.tif 000003
【図３】
0006377986.tif 000004
【図４】
0006377986.tif 000005
【図５】
0006377986.tif 000006
【図６】
0006377986.tif 000007
【図７】
0006377986.tif 000008
【図８】
0006377986.tif 000009
【図９】
0006377986.tif 000010
【図１０】
0006377986.tif 000011